(57)【要約】【課題】デジタルサイネージによる広告効果を判定することができる広告システムおよび広告効果判定方法を提供すること。【解決手段】本願に係る広告システムは、広告コンテンツが表示されるデジタルサイネージに対応する位置に設置された送客側無線ＬＡＮ通信手段と、広告コンテンツの広告対象となる商業空間に設置された集客側無線ＬＡＮ通信手段と、送客側無線ＬＡＮ通信手段の通信エリアに進入した後、集客側無線ＬＡＮ通信手段の通信エリアに進入した無線端末を検出した場合に、広告コンテンツによる送客結果の情報を更新する送客結果更新手段とを備える。【選択図】図１Ｂ
2014157497.tif 000002
【特許請求の範囲】
【請求項１】
広告コンテンツが表示されるデジタルサイネージに対応する位置に設置された送客側無線ＬＡＮ通信手段と、
前記広告コンテンツの広告対象となる商業空間に設置された集客側無線ＬＡＮ通信手段と、
前記送客側無線ＬＡＮ通信手段の通信エリアに進入した後、前記集客側無線ＬＡＮ通信手段の通信エリアに進入した無線端末を検出した場合に、前記広告コンテンツによる送客結果の情報を更新する送客結果更新手段と、
を有することを特徴とする広告システム。
【請求項２】
前記送客側無線ＬＡＮ通信手段の通信エリアに進入した無線端末の情報を取得する送客側情報取得手段と、
前記送客側情報取得手段によって取得された無線端末の情報を記憶する送客情報記憶手段と、
前記集客側無線ＬＡＮ通信手段の通信エリアに進入した無線端末の情報を取得する集客側情報取得手段と、を有し、
前記送客結果更新手段は、
前記集客側情報取得手段によって取得された無線端末の情報が前記送客情報記憶手段に記憶されている場合、前記広告コンテンツによる送客結果の情報を更新する
ことを特徴とする請求項１に記載の広告システム。
【請求項３】
前記送客情報記憶手段は、
前記送客側情報取得手段によって情報を取得した無線端末の情報を、前記デジタルサイネージに表示されている広告コンテンツの情報に関連付けて記憶し、
前記送客結果更新手段は、
前記集客側情報取得手段によって取得された無線端末の情報が前記送客情報記憶手段に記憶されている場合に、前記無線端末の情報に関連付けられた広告コンテンツによる送客結果の情報を更新する
ことを特徴とする請求項２に記載の広告システム。
【請求項４】
前記送客側無線ＬＡＮ通信手段の通信エリアに進入した無線端末へ前記広告コンテンツの識別情報を送信する送客情報送信手段と、
前記集客側無線ＬＡＮ通信手段の通信エリアに進入した無線端末から前記広告コンテンツの識別情報を取得する送客情報取得手段と、を備え、
前記送客結果更新手段は、
前記送客情報取得手段によって無線端末から前記広告コンテンツの識別情報を取得した場合に、当該広告コンテンツによる送客結果の情報を更新する
ことを特徴とする請求項１に記載の広告システム。
【請求項５】
前記送客結果更新手段は、
前記送客側無線ＬＡＮ通信手段の通信エリアに進入した後、前記集客側無線ＬＡＮ通信手段の通信エリアに進入した無線端末の前記送客側無線ＬＡＮ通信手段の通信エリアにおける電波強度および／または滞在時間が所定条件を満たす場合に、前記広告コンテンツによる送客結果の情報を更新する
ことを特徴とする請求項２〜４のいずれか１つに記載の広告システム。
【請求項６】
前記送客結果の情報に基づき、前記広告コンテンツの前記デジタルサイネージへの表示に対する対価の額を決定する決定手段を有する
ことを特徴とする請求項１〜５のいずれか１つに記載の広告システム。
【請求項７】
送客側情報取得手段が、広告コンテンツが表示されるデジタルサイネージに対応する位置に設置された送客側無線ＬＡＮ通信手段の通信エリアに進入した無線端末の情報を取得し、
送客情報記憶手段が、前記送客側情報取得手段によって取得された無線端末の情報を記憶し、
集客側情報取得手段が、前記広告コンテンツの広告対象となる商業空間に設置された集客側無線ＬＡＮ通信手段の通信エリアに進入した無線端末の情報を取得し、
送客結果更新手段が、前記集客側情報取得手段によって検出された無線端末の情報が前記送客情報記憶手段に記憶されている場合に、前記広告コンテンツによる送客結果の情報を更新する
ことを特徴とする広告効果判定方法。
【請求項８】
送客情報送信手段が、広告コンテンツが表示されるデジタルサイネージに対応する位置に設置された送客側無線ＬＡＮ通信手段の通信エリアに進入した無線端末へ前記広告コンテンツの識別情報を送信し、
集客側情報取得手段が、前記広告コンテンツの広告対象となる商業空間に設置された集客側無線ＬＡＮ通信手段の通信エリアに進入した無線端末からへ前記広告コンテンツの識別情報を取得し、
送客結果更新手段が、前記集客側情報取得手段によって前記無線端末から前記広告コンテンツの識別情報を取得した場合に、当該広告コンテンツによる送客結果の情報を更新する
ことを特徴とする広告効果判定方法。
【発明の詳細な説明】
【技術分野】
【０００１】
本発明は、広告システムおよび広告効果判定方法に関する。
【背景技術】
【０００２】
近年、通信ネットワークを介して配信されるデジタルコンテンツを表示するデジタルサイネージと呼ばれる電子広告媒体が、店舗、街頭、駅、空港、ホテルなどの様々な場所に設置されている。
【０００３】
かかるデジタルサイネージでは、設置場所や時間帯などを考慮して広告コンテンツを表示することができるため、例えば、設置場所や時間帯などに即したリアルタイムなキャンペーン等の情報提供を行うことができる点で注目されている。
【０００４】
デジタルサイネージへ広告コンテンツを表示するために必要な広告料は、例えば、デジタルサイネージでの表示回数などに応じた額に決定されたり（例えば、特許文献１参照）、オークション形式での入札額に決定されたりしている（例えば、特許文献２参照）。
【先行技術文献】
【特許文献】
【０００５】
【特許文献１】特開２０１２−０９８９９２号公報
【特許文献２】特開２０１０−１８２２０２号公報
【発明の概要】
【発明が解決しようとする課題】
【０００６】
しかしながら、デジタルサイネージを用いた広告技術では、広告コンテンツをデジタルサイネージに表示する前に広告料が設定されることから、実際には広告効果が少ないにもかかわらず、割高な広告料となる場合もあり、広告主にとって必ずしも納得のいく広告料となっていないことも多い。
【０００７】
本願は、上記に鑑みてなされたものであって、デジタルサイネージによる広告効果を判定することができる広告システムおよび広告効果判定方法を提供することを目的とする。
【課題を解決するための手段】
【０００８】
本願に係る広告システムは、広告コンテンツが表示されるデジタルサイネージに対応する位置に設置された送客側無線ＬＡＮ通信手段と、前記広告コンテンツの広告対象となる商業空間に設置された集客側無線ＬＡＮ通信手段と、前記送客側無線ＬＡＮ通信手段の通信エリアに進入した後、前記集客側無線ＬＡＮ通信手段の通信エリアに進入した無線端末を検出した場合に、前記広告コンテンツによる送客結果の情報を更新する送客結果更新手段と、を備える。
【発明の効果】
【０００９】
実施形態の一態様によれば、デジタルサイネージによる広告効果を判定することができる広告システムおよび広告効果判定方法を提供することができる。
【図面の簡単な説明】
【００１０】
【図１Ａ】図１Ａは、第１の実施形態に係る広告システムの構成を示す図である。
【図１Ｂ】図１Ｂは、図１Ａに示す広告システムによる広告効果判定方法の説明図である。
【図２】図２は、第１の実施形態に係る広告システムの具体的構成例を示す図である。
【図３Ａ】図３Ａは、無線ＬＡＮアクセスポイントと無線端末との間のセッション確立のシーケンス例を示す図（その１）である。
【図３Ｂ】図３Ｂは、無線ＬＡＮアクセスポイントと無線端末との間のセッション確立のシーケンス例を示す図（その２）である。
【図４】図４は、広告情報ＤＢに記憶されたＤＳ情報テーブルの一例を示す図である。
【図５】図５は、広告情報ＤＢに記憶された広告情報テーブルの一例を示す図である。
【図６】図６は、ＡＰ情報ＤＢに記憶される検出情報データの一例を示す図である。
【図７】図７は、広告情報ＤＢに記憶されるカウント判定テーブルの一例を示す図である。
【図８】図８は、無線ＬＡＮアクセスポイントにおける情報処理のフローチャートである。
【図９】図９は、広告配信管理装置における情報処理のフローチャートである。
【図１０】図１０は、第２の実施形態に係る広告システムの構成を示す図である。
【図１１】図１１は、図１０に示す広告システムによる広告効果判定方法の説明図である。
【図１２】図１２は、図１０に示す無線端末における情報処理のフローチャートである。
【図１３】図１３は、図１０に示す無線ＬＡＮアクセスポイントにおける情報処理のフローチャートである。
【図１４】図１４は、図１０に示す広告配信管理装置における情報処理のフローチャートである。
【発明を実施するための形態】
【００１１】
以下に、本願に係る広告システムおよび広告効果判定方法の実施形態について図面を参照しつつ詳細に説明する。なお、この実施形態により本願に係る広告システムおよび広告効果判定方法が限定されるものではない。また、以下においては、データベースをＤＢと表記する。
【００１２】
〔１．第１の実施形態〕
〔１．１．  広告システム〕
図１Ａは、第１の実施形態に係る広告システムの構成を示す図である。図１Ａに示すように、第１の実施形態に係る広告システム１は、無線ＬＡＮ（Local  Area  Network）アクセスポイント３1、３2と、デジタルサイネージ４と、広告配信管理装置５とを備える。
【００１３】
無線ＬＡＮアクセスポイント３1、３2および広告配信管理装置５は、通信ネットワーク７を介して相互に通信可能に接続される。通信ネットワーク７は、例えば、インターネットなどのＷＡＮ（Wide  Area  Network）である。また、デジタルサイネージ４は無線ＬＡＮアクセスポイント３1を介して通信ネットワーク７に接続される。
【００１４】
無線ＬＡＮアクセスポイント３1、３2は、例えば、商業や医業などのサービスを提供する商業空間を無線ＬＡＮ通信エリア６1、６2（以下、ＡＰ通信エリア６1、６2と記載する）とする。商業空間としては、例えば、小売店、飲食店、美容院・理容院、病院、ホテル、複合レジャー施設などの店舗の他、コンサートやスポーツなどが行われるイベント会場などがある。ここでは、無線ＬＡＮアクセスポイント３1、３2は、小売店や飲食店などの店舗に設置されているものとして説明する。
【００１５】
デジタルサイネージ４は、無線ＬＡＮアクセスポイント３1のＡＰ通信エリア６1内に配置され、広告コンテンツを表示する。デジタルサイネージ４に表示される広告コンテンツは、無線ＬＡＮアクセスポイント３2の設置場所に対応する広告コンテンツである。これにより、無線ＬＡＮアクセスポイント３1の設置店舗を送客側店舗とし、無線ＬＡＮアクセスポイント３2の設置店舗を集客側店舗とする広告サービスを提供することができる。
【００１６】
広告配信管理装置５は、集客側店舗の端末装置８から送信される広告コンテンツを無線ＬＡＮアクセスポイント３2および通信ネットワーク７経由で取得し、取得した広告コンテンツを通信ネットワーク７および無線ＬＡＮアクセスポイント３1を介してデジタルサイネージ４へ送信する。
【００１７】
広告配信管理装置５は、無線ＬＡＮアクセスポイント３1、３2から送信される無線端末２の情報を取得し、取得した情報に基づいてデジタルサイネージ４に表示させた広告コンテンツによる広告効果を判定する。以下、図１Ｂを参照して、第１の実施形態に係る広告システム１による広告効果判定方法の一例について説明する。図１Ｂは、第１の実施形態に係る広告効果判定方法の説明図である。
【００１８】
図１Ｂに示すように、広告配信管理装置５は、送客側店舗に設置された無線ＬＡＮアクセスポイント３1のＡＰ通信エリア６1内に配置されたデジタルサイネージ４へ広告コンテンツを送信する（ステップＳ１）。デジタルサイネージ４へ送信される広告コンテンツは、無線ＬＡＮアクセスポイント３2が設置された集客側店舗に関する広告を含む情報である。
【００１９】
デジタルサイネージ４は、広告配信管理装置５から広告コンテンツを取得すると、かかる広告コンテンツを表示する（ステップＳ２）。無線ＬＡＮアクセスポイント３1は、デジタルサイネージ４に広告コンテンツが表示されている状態で、ＡＰ通信エリア６1に進入した無線端末２から無線信号を取得すると（ステップＳ３）、無線端末２の情報を含む検出情報を広告配信管理装置５へ送信する（ステップＳ４）。
【００２０】
広告配信管理装置５は、無線ＬＡＮアクセスポイント３1から検出情報を受信すると、広告コンテンツに関連付けて検出情報を記憶する（ステップＳ５）。これにより、デジタルサイネージ４に表示された広告コンテンツを視認した可能性のあるユーザの無線端末２と広告コンテンツを関連付けることができる。
【００２１】
その後、無線端末２のユーザが集客側店舗へ移動してＡＰ通信エリア６2に進入すると、無線ＬＡＮアクセスポイント３2は、無線端末２から無線信号を取得し（ステップＳ６）、無線端末２の情報を含む検出情報を広告配信管理装置５へ送信する（ステップＳ７）。
【００２２】
広告配信管理装置５は、無線ＬＡＮアクセスポイント３2から検出情報を受信すると、無線端末２のユーザが広告コンテンツによって集客側店舗へ誘導されたと判定し、広告コンテンツによる送客結果の情報を更新する（ステップＳ８）。例えば、広告配信管理装置５は、広告コンテンツによって集客側店舗へ誘導されたと判定する度に広告コンテンツに対応する送客カウント値をインクリメントする。これにより、広告コンテンツによって集客側店舗へ誘導された無線端末２のユーザの数を把握することができる。
【００２３】
広告配信管理装置５は、デジタルサイネージ４への広告コンテンツの表示が終了すると、広告コンテンツの広告料を決定する（ステップＳ９）。広告料は、デジタルサイネージ４への広告コンテンツの表示に対する対価であり、集客側店舗側が広告システム１のサービス運営者（以下、広告サービス運営者と記載する）側へ広告料を支払う。広告サービス運営者は、集客側店舗側から広告料を取得すると、送客側店舗に対して、アフィリエイト（affiliate）料として広告料の一部（例えば、広告料に対して一定割合の金額）を支払う。
【００２４】
このように、第１の実施形態に係る広告システム１は、送客側店舗に設置された無線ＬＡＮアクセスポイント３1のＡＰ通信エリア６1に進入した後、集客側店舗に設置された無線ＬＡＮアクセスポイント３2のＡＰ通信エリア６2に進入した無線端末２を検出した場合に、広告コンテンツによる送客結果の情報を更新する。そのため、デジタルサイネージ４によって表示させた広告コンテンツの広告効果を迅速かつ適切に判定することができる。
【００２５】
なお、広告配信管理装置５は、ＡＰ通信エリア６1のうちデジタルサイネージ４を視認する可能性が高いデジタルサイネージ４前方の所定範囲にある場合に、無線端末２と広告コンテンツを関連付けるようにしてもよい。このようにすることで広告コンテンツの広告効果をより精度よく判定することができる。広告配信管理装置５は、デジタルサイネージ４前方の所定範囲に無線端末２が進入したか否かを、無線ＬＡＮアクセスポイント３1が検出する無線端末２の無線信号の電波強度により判断することができる。
【００２６】
以下、上述した広告システムについて、具体的構成および具体的処理の内容について図面を参照して説明する。
【００２７】
〔１．２．広告システム１の具体例〕
図２を用いて、第１の実施形態に係る広告システム１の具体例について説明する。図２は、第１の実施形態に係る広告システム１の具体的構成の一例を示す図である。
【００２８】
図２に示すように、広告システム１は、無線ＬＡＮアクセスポイント３1〜３m（以下、無線ＬＡＮアクセスポイント３と総称する場合がある）と、デジタルサイネージ４1〜４m（以下、デジタルサイネージ４と総称する場合がある）と、広告配信管理装置５とを有する。無線ＬＡＮアクセスポイント３および広告配信管理装置５は、通信ネットワーク７を介して相互に通信可能に接続される。通信ネットワーク７は、例えば、インターネットなどのＷＡＮ（Wide  Area  Network）であり、例えば、ウェブサーバ９なども接続される。
【００２９】
無線ＬＡＮアクセスポイント３は、デジタルサイネージ４の設置場所に対応して設けられる。図２に示す例では、例えば、無線ＬＡＮアクセスポイント３1は、デジタルサイネージ４1の設置場所に対応して設けられ、無線ＬＡＮアクセスポイント３1のＡＰ通信エリア６1にデジタルサイネージ４1が含まれる。また、無線ＬＡＮアクセスポイント３mは、デジタルサイネージ４mの設置場所に対応して設けられ、無線ＬＡＮアクセスポイント３mのＡＰ通信エリア６mにデジタルサイネージ４mが含まれる。なお、ＡＰ通信エリア６1〜６mを以下、ＡＰ通信エリア６と総称する場合がある。
【００３０】
なお、図２に示す例では、各無線ＬＡＮアクセスポイント３のＡＰ通信エリア６にデジタルサイネージ４が設置され、無線ＬＡＮアクセスポイント３は送客側無線ＬＡＮ通信手段および集客側無線ＬＡＮ通信手段として機能するが、一部のＡＰ通信エリア６にデジタルサイネージ４を配置しなくてもよい。この場合、ＡＰ通信エリア６にデジタルサイネージ４を配置していない無線ＬＡＮアクセスポイント３は集客側無線ＬＡＮ通信手段として機能する。
【００３１】
デジタルサイネージ４は、例えば、液晶ディスプレイ、プラズマディスプレイ、有機ＥＬディスプレイなどのディスプレイやプロジェクタを備える。かかるデジタルサイネージ４は、無線／有線ＬＡＮ通信機能を有しており、例えば、無線ＬＡＮ経由の場合には、それぞれ無線ＬＡＮアクセスポイント３を介して広告配信管理装置５から広告コンテンツを受信して表示することができる。また、デジタルサイネージ４は、有線ＬＡＮ経由で無線ＬＡＮアクセスポイント３や他のネットワークを介して広告配信管理装置５から広告コンテンツを受信して表示することもできる。なお、例えば、デジタルサイネージ４の設置場所である店舗の面積が大きい場合、一つの店舗内に複数の無線ＬＡＮアクセスポイント３を設置することもできる。
【００３２】
無線端末２1〜２n（以下、無線端末２と総称する場合がある）は、例えば、無線ＬＡＮ通信機能を搭載した端末装置であり、例えば、スマートフォン、タブレットＰＣ（Personal  computer）、ゲーム機などである。かかる無線端末２は、無線ＬＡＮアクセスポイント３のＡＰ通信エリア６内では、無線ＬＡＮアクセスポイント３経由でウェブサーバ９にアクセスが可能である。
【００３３】
以下、広告システム１を構成する無線ＬＡＮアクセスポイント３および広告配信管理装置５について、さらに詳細に説明する。
【００３４】
〔１．３．無線ＬＡＮアクセスポイント３の構成〕
まず、無線ＬＡＮアクセスポイント３の構成について具体的に説明する。図２に示すように、無線ＬＡＮアクセスポイント３は、無線ＬＡＮ通信部２１と、通信部２２と、制御部２３とを有する。
【００３５】
無線ＬＡＮ通信部２１は、デジタルサイネージ４の設置場所を含む領域がそのＡＰ通信エリア６となるように設置される。かかる無線ＬＡＮ通信部２１は、無線ＬＡＮ通信を行う通信インタフェースであり、無線ＬＡＮ通信機能を搭載した無線端末２との間で情報の送受信を行う。なお、無線ＬＡＮとして、例えば、ＩＥＥＥ８０２．１１によって規定される無線ＬＡＮなどがあるが、かかる規格の無線ＬＡＮに限定されるものではない。
【００３６】
通信部２２は、通信ネットワーク７に接続され、通信ネットワーク７を介して通信ネットワーク側装置（例えば、広告配信管理装置５やウェブサーバ９）との間で情報の送受信を行う。かかる通信部２２は、通信ネットワーク７との接続を有線または無線で行う。
【００３７】
制御部２３は、情報中継処理を行う中継部２５と、無線端末２の検出処理を行う検出部２６を備えており、以下に説明する情報処理の機能や作用を実現または実行する。なお、制御部２３の内部構成は、かかる構成に限られず、後述する情報処理を行う構成であれば他の構成であってもよい。
【００３８】
中継部２５は、例えば、無線端末２から無線ＬＡＮ通信部２１を介して取得した情報を通信部２２から通信ネットワーク側装置へ送信し、また、通信ネットワーク側装置から通信部２２を介して取得した情報を無線ＬＡＮ通信部２１から無線端末２へ送信する。
【００３９】
なお、無線ＬＡＮアクセスポイント３から通信ネットワーク側装置への情報送信は、例えば、無線ＬＡＮアクセスポイント３に割り当てられる通信ネットワーク７のアドレスを送信元アドレスとし、通信ネットワーク側装置に割り当てられる通信ネットワーク７のアドレスを送信先アドレスとしたパケット通信により行われる。通信ネットワーク７のアドレスは、例えば、通信部２２に割り当てられるアドレスであり、例えば、ＩＰアドレスである。
【００４０】
検出部２６は、無線端末２から送信される無線パケットを無線ＬＡＮ通信部２１を介して取得することで、無線端末２の存在を検出する。図３Ａおよび図３Ｂは、無線ＬＡＮアクセスポイント３と無線端末２との間のセッション確立のシーケンス例を示す図である。
【００４１】
図３Ａに示す例では、無線端末２から周期的にプローブ要求と呼ばれる無線パケットがブロードキャストなどによって送信されており、検出部２６は、かかる無線パケットを無線ＬＡＮ通信部２１経由で取得することで、無線端末２の存在を検出する。
【００４２】
プローブ要求にはＢＳＳＩＤ（Basic  Service  Set  Identifier）が含まれており、検出部２６は、無線ＬＡＮ通信部２１のＢＳＳＩＤと一致する場合に、プローブ応答を無線端末２へ送信する。プローブ応答を受信した無線端末２は、自動通信の設定がされている場合、通信中状態へ移行する。
【００４３】
通信中状態への移行は、図３Ａに示すように、アソシエーション要求とアソシエーション応答によりセッションを確立することによって行われ、その後、無線端末２と無線ＬＡＮ通信部２１との間で、データフレームやコントロールフレームの送受信が行われて通信中状態になる。
【００４４】
また、検出部２６は、周期的に無線パケットが送信されない無線端末２に対して、例えば、図３Ｂに示すように、ビーコンと呼ばれる無線パケットを無線ＬＡＮ通信部２１を介してブロードキャストし、かかるビーコンに対するアソシエーション要求を受信することで、無線端末２の存在を検出する。アソシエーション要求を受信した検出部２６は、アソシエーション応答を無線端末２へ送信することによってセッションを確立し、無線端末２と無線ＬＡＮ通信部２１との間を通信中状態にする。
【００４５】
検出部２６は、通信中状態へ移行すると、その後、通信中状態が解除されるまで繰り返し無線パケットを受信しており、無線端末２の存在を検出している状態である。なお、無線端末２から切断要求があった場合や、無線端末２と無線ＬＡＮ通信部２１との間で無線パケットを送受信できなくなった場合に、通信中状態が解除される。
【００４６】
検出部２６は、例えば無線端末２を検出したと判定すると、検出情報を通信部２２を介して広告配信管理装置５へ送信する。具体的には、検出部２６は、無線端末２から送信される無線パケットに含まれる端末ＩＤを抽出し、さらに電波強度を検出する。
【００４７】
端末ＩＤは、例えば、無線端末２の無線ＬＡＮ通信部のＭＡＣアドレス（Media  Access  Control  address）であり、無線パケットに付加されて無線端末２から送信される。また、端末ＩＤは、無線端末２に固有の識別情報であればよく、例えば、無線端末２が閲覧したウェブサイトのＵＲＬの情報を所定のハッシュ関数で演算して求めたハッシュ値などであってもよい。
【００４８】
電波強度は、無線ＬＡＮアクセスポイント３で受信される無線信号の電波強度である。なお、電波強度は、無線端末２において取得された電波受信強度（ＲＳＳＩ：Received  Signal  Strength  Indication）であってもよい。この場合、電波強度の情報を含む無線信号が無線端末２から無線ＬＡＮアクセスポイント３へ送信される。
【００４９】
検出部２６は、無線端末２の端末ＩＤ、電波強度、検出時刻およびＡＰ−ＩＤを含む情報を検出情報として、周期的（例えば、１秒周期）に広告配信管理装置５へ送信する。ＡＰ−ＩＤとしては、例えば、通信部２２に割り当てられる通信ネットワーク７のネットワークアドレスを用いることができる。また、検出時刻は、無線端末２の存在を検出した時刻であるが、検出情報を送信する時刻を検出時刻とすることもできる。
【００５０】
〔１．４．広告配信管理装置５の構成〕
次に、実施形態に係る広告配信管理装置５の具体的構成について説明する。図２に示すように、広告配信管理装置５は、通信部３０と、記憶部３１と、制御部３２とを有する。さらに、記憶部３１は、広告情報ＤＢ４１と、ＡＰ情報ＤＢ４２とを有し、制御部３２は、配信部５１と、取得部５２と、更新部５３と、決定部５４とを有する。
【００５１】
通信部３０は、ＮＩＣ（Network  Interface  Card）等のインタフェースである。制御部３２は、通信部３０および通信ネットワーク７を介して、無線ＬＡＮアクセスポイント３や、無線ＬＡＮアクセスポイント３を介した無線端末２やデジタルサイネージ４との間で各種の情報を送受信する。
【００５２】
広告情報ＤＢ４１およびＡＰ情報ＤＢ４２は、例えば、ハードディスク、ＲＡＭ（Random  Access  Memory)、フラッシュメモリ等の半導体メモリ素子、光ディスク等の記憶装置である。なお、広告情報ＤＢ４１およびＡＰ情報ＤＢ４２を一つのＤＢとしてもよい。また、広告情報ＤＢ４１およびＡＰ情報ＤＢ４２に記憶される各種のＩＤは、「Ａ１」や「Ｄ１」などの符号を用いて説明するが、説明の便宜上区別するために付した符号であり、かかる符号に限定される趣旨ではない。
【００５３】
制御部３２は、例えば、ＡＳＩＣ（Application  Specific  Integrated  Circuit）やＦＰＧＡ（Field  Programmable  Gate  Array）等の集積回路により実現される。また、制御部３２は、ＣＰＵ（Central  Processing  Unit）またはＭＰＵ（Micro  Processing  Unit）によって内部の記憶装置に記憶されたプログラムがＲＡＭを作業領域として実行されることで、配信部５１、取得部５２、更新部５３および決定部５４として機能する。なお、制御部３２の構成は、かかる構成に限られず、後述する情報処理を行う構成であれば他の構成であってもよい。
【００５４】
〔１．４．１．配信部５１〕
配信部５１は、広告情報ＤＢ４１に記憶されたＤＳ情報テーブルに基づいて広告コンテンツをデジタルサイネージ４へ送信する。ＤＳ情報テーブルには、各デジタルサイネージ４に対する広告コンテンツの表示スケジュールが設定される。
【００５５】
図４は、広告情報ＤＢ４１に記憶されたＤＳ情報テーブルの一例を示す図である。図４に示すように、ＤＳ情報テーブルは、「ＤＳ−ＩＤ」毎に、「画面サイズ」、「ＡＰ−ＩＤ」、「広告表示時間」および「広告ＩＤ」が関連付けられた情報である。
【００５６】
「ＤＳ−ＩＤ」は、デジタルサイネージ４の識別情報である。なお、デジタルサイネージ４が通信ネットワーク７に直接接続されている場合には、ＤＳ−ＩＤとして、デジタルサイネージ４に割り当てられる通信ネットワーク７のネットワークアドレスを用いることができる。
【００５７】
「画面サイズ」は、デジタルサイネージ４によって表示される画像のサイズである。例えば、デジタルサイネージ４がディスプレイである場合、ディスプレイの画面サイズであり、また、デジタルサイネージ４がプロジェクタである場合、プロジェクタが投影する画像のサイズである。
【００５８】
「ＡＰ−ＩＤ」は、デジタルサイネージ４に対応して設置される無線ＬＡＮアクセスポイント３の識別情報であり、例えば、無線ＬＡＮアクセスポイント３の通信部２２に割り当てられる通信ネットワーク７のネットワークアドレスである。
【００５９】
「広告表示時間」は、デジタルサイネージ４に広告コンテンツを表示する時間であり、かかる広告表示時間に対応して「広告ＩＤ」が設定される。「広告ＩＤ」は広告コンテンツの識別情報である。例えば、広告コンテンツのデータを所定のハッシュ関数に入力して求められるハッシュ値を広告ＩＤとしてもよい。
【００６０】
図４に示す例では、例えば、ＤＳ−ＩＤ「Ｄ１」のデジタルサイネージ４には、２月１日の１２時３０分から１２時３５分の間の時間に対して広告ＩＤ「Ｏ３」が設定され、１２時３５分から１２時４５分の間の時間に対して広告ＩＤ「Ｏ２」が設定されている。
【００６１】
配信部５１は、２月１日の１２時３０分になる前に広告ＩＤ「Ｏ３」の広告コンテンツを広告情報ＤＢ４１から読み出してＤＳ−ＩＤ「Ｄ１」のデジタルサイネージ４へ送信し、１２時３５分になる前に広告ＩＤ「Ｏ２」の広告コンテンツを広告情報ＤＢ４１から読み出してＤＳ−ＩＤ「Ｄ１」のデジタルサイネージ４へ送信する。
【００６２】
デジタルサイネージ４が無線ＬＡＮアクセスポイント３経由で通信ネットワーク７に接続されている場合、配信部５１は、宛先となるＤＳ−ＩＤと広告コンテンツを含む広告情報を無線ＬＡＮアクセスポイント３へ送信する。これにより、無線ＬＡＮアクセスポイント３からデジタルサイネージ４へ広告コンテンツが転送される。また、デジタルサイネージ４が通信ネットワーク７に直接接続されている場合、配信部５１は、ＤＳ−ＩＤを宛先として通信ネットワーク７へ送信する。これにより、デジタルサイネージ４へ広告コンテンツが送信される。
【００６３】
配信部５１は、広告情報ＤＢ４１からの広告コンテンツの読み出しを広告情報テーブルに基づいて行う。図５は、広告情報ＤＢ４１に記憶された広告情報テーブルの一例を示す図である。図５に示すように、広告情報テーブルは、「広告ＩＤ」毎に、「広告情報」、「注文内容」、「表示済み回数」、「集客側ＡＰ−ＩＤ」および「送客カウント値」が関連付けられた情報である。
【００６４】
「広告ＩＤ」は、ＤＳ情報テーブルに設定される「広告ＩＤ」と同一のＩＤである。「広告情報」は、デジタルサイネージ４に表示するための広告コンテンツの情報であり、広告コンテンツとして、静止画データ、動画データ、アニメーションデータなどがある。なお、広告情報テーブルに設定される広告情報は、広告コンテンツのデータそのものであるが、広告情報ＤＢ４１における広告コンテンツの格納位置を示す情報であってもよい。
【００６５】
「注文内容」は、広告主によって設定される広告コンテンツの表示条件を示す情報であり、「表示回数」の条件と、「表示時間」の条件とが設定される。「表示回数」は、広告コンテンツを表示する回数であり、「表示時間」は広告コンテンツの１回あたりの表示時間である。「表示済み回数」は、広告コンテンツをデジタルサイネージ４に表示した回数である。
【００６６】
例えば、広告ＩＤ「Ｏ１」の広告コンテンツは、注文内容として表示回数が１０００（回）、表示時間が５分であり、表示済み回数が８３２（回）である。また、広告ＩＤ「Ｏ２」の広告コンテンツは、注文内容として表示回数が２０００（回）、表示時間が１０分であり、表示済み回数が１１９２（回）である。
【００６７】
「集客側ＡＰ−ＩＤ」は、広告コンテンツの広告対象となる商業空間に設置された無線ＬＡＮアクセスポイント３のＡＰ−ＩＤである。例えば、広告ＩＤ「Ｏ１」の広告コンテンツは、ＡＰ−ＩＤ「Ａ１」の無線ＬＡＮアクセスポイント３の設置場所を広告対象としている。
【００６８】
「送客カウント値」は、広告コンテンツの広告効果を示す情報であり、送客カウント値が大きいほど広告コンテンツによる広告効果が高いことを意味する。かかる送客カウント値は、更新部５３によってカウントアップされる。
【００６９】
〔１．４．２．取得部５２〕
取得部５２は、無線ＬＡＮアクセスポイント３から送信される検出情報を取得する。取得部５２は、無線ＬＡＮアクセスポイント３から検出情報を取得すると、検出情報に含まれる端末ＩＤ、電波強度、検出時刻およびＡＰ−ＩＤに基づき、ＡＰ情報ＤＢ４２の検出情報データを更新する。
【００７０】
図６は、ＡＰ情報ＤＢ４２に記憶される検出情報データの一例を示す図である。図６に示すように、検出情報データは、「ＡＰ−ＩＤ」毎に、「端末ＩＤ」、「検出時刻」および「電波強度」が関連付けられた情報である。
【００７１】
「ＡＰ−ＩＤ」は、無線ＬＡＮアクセスポイント３の識別情報であり、無線ＬＡＮアクセスポイント３毎に割り当てられる情報である。
【００７２】
「端末ＩＤ」は、関連付けられた無線ＬＡＮアクセスポイント３のＡＰ通信エリア６内に存在する無線端末２の端末ＩＤである。例えば、図６に示す例では、ＡＰ−ＩＤ「Ａ１」の無線ＬＡＮアクセスポイント３のＡＰ通信エリア６内に、端末ＩＤ「Ｔ１」、「Ｔ２」の無線端末２などが存在していることを示している。
【００７３】
「電波強度」は、ＡＰ通信エリア６内に存在する無線端末２の電波強度の情報である。図６に示すように、検出情報データには検出時刻毎の電波強度の情報が設定される。なお、図６に示す例では、電波強度を０〜１０の範囲で強度が高いほど値が大きくなる強度レベルで表しているが、その他の単位（例えば、ｄＢｍ）で設定することもできる。
【００７４】
〔１．４．３．更新部５３〕
更新部５３は、検出情報データ、ＤＳ情報テーブルおよび広告情報テーブルに基づき、送客側通信エリアに進入した後に集客側通信エリアに進入した無線端末２を検出し、送客カウント値を更新する。
【００７５】
具体的には、更新部５３は、検出情報データおよびＤＳ情報テーブルに基づき、送客側通信エリアに進入した無線端末２を検出する。送客側通信エリアは、広告コンテンツのデジタルサイネージ４に対応付けられた無線ＬＡＮアクセスポイント３のＡＰ通信エリア６である。
【００７６】
また、更新部５３は、検出情報データおよび広告情報テーブルに基づき、集客側通信エリアに進入した無線端末２を検出する。集客側通信エリアは、広告コンテンツの広告対象となる商業空間に設置された無線ＬＡＮアクセスポイント３のＡＰ通信エリア６である。
【００７７】
そして、更新部５３は、広告コンテンツ単位で、送客側通信エリアに進入した後に集客側通信エリアに進入した無線端末２（以下、送客判定候補端末と記載する場合がある）を検出する。更新部５３は、検出した送客判定候補端末がカウント判定テーブルに設定されたカウント条件を満たすか否かを判定し、判定結果に応じて、広告コンテンツ単位で、送客カウント値を更新する。
【００７８】
図７は、広告情報ＤＢ４１に記憶されるカウント判定テーブルの一例を示す図である。図７に示すように、カウント判定テーブルは、「画面サイズ」毎に、「電波強度閾値」および「滞在時間閾値」が関連付けられた情報である。
【００７９】
「画面サイズ」は、デジタルサイネージ４の画面サイズである。「電波強度閾値」は、送客側の無線ＬＡＮアクセスポイント３で受信される無線端末２からの無線信号の電波強度の閾値であり、「滞在時間閾値」は、送客側通信エリアでの無線端末２の滞在時間の閾値である。
【００８０】
更新部５３は、送客側のデジタルサイネージ４の画面サイズに対応するカウント条件をカウント判定テーブルから読み出し、送客判定候補端末の送客側通信エリアでの電波強度や滞在時間がカウント条件を満たす場合に、広告コンテンツに対応するカウント値をインクリメントする。
【００８１】
ここで、ＤＳ情報テーブルが図４に示す状態であり、広告情報テーブルが図５に示す状態であり、検出情報テーブルが図６に示す状態であるとする。この場合、更新部５３は、広告ＩＤ「Ｏ１」の広告コンテンツに関する送客カウント値の更新を以下のように行う。
【００８２】
図４のＤＳ情報テーブルに示すように、広告ＩＤ「Ｏ１」の広告コンテンツは、２月１日の１０時４０分〜１０時４５分の期間においては、ＤＳ−ＩＤ「Ｄ２」のデジタルサイネージ４に表示される。したがって、更新部５３は、２月１日の１０時４０分〜４５分の期間において、ＡＰ−ＩＤ「Ａ２」に対応するＡＰ通信エリア６が広告ＩＤ「Ｏ１」に対応する送客側通信エリアであると判定する。
【００８３】
また、図５の広告情報テーブルに示すように、広告ＩＤ「Ｏ１」は、集客側ＡＰ−ＩＤ「Ａ１」に対応しており、広告ＩＤ「Ｏ１」の広告コンテンツの広告対象は、ＡＰ−ＩＤ「Ａ１」の無線ＬＡＮアクセスポイント３の商業空間である。したがって、更新部５３は、ＡＰ−ＩＤ「Ａ１」に対応するＡＰ通信エリア６が広告ＩＤ「Ｏ１」に対応する集客側通信エリアであると判定する。
【００８４】
図６の検出情報データに示すように、端末ＩＤ「Ｔ１」の無線端末２1は２月１日の１０時４３分１６秒〜１０時４４分３０秒の間にＡＰ−ＩＤ「Ａ２」の無線ＬＡＮアクセスポイント３のＡＰ通信エリアに進入している。したがって、更新部５３は、広告ＩＤ「Ｏ１」に対応する送客側通信エリアに端末ＩＤ「Ｔ１」の無線端末２1が進入したと判定する。
【００８５】
また、図６の検出情報データに示すように、端末ＩＤ「Ｔ１」の無線端末２1は２月１日の１２時２６分１１秒にＡＰ−ＩＤ「Ａ１」の無線ＬＡＮアクセスポイント３のＡＰ通信エリア６に進入している。したがって、更新部５３は、広告ＩＤ「Ｏ１」に対応する集客側通信エリアに端末ＩＤ「Ｔ１」の無線端末２1が進入したと判定する。
【００８６】
端末ＩＤ「Ｔ１」の無線端末２1は、送客側通信エリアへ進入した後に集客側通信エリアへ進入していることから、更新部５３は、広告ＩＤ「Ｏ１」の広告コンテンツに関し、端末ＩＤ「Ｔ１」の無線端末２1が送客判定候補端末であると判定する。
【００８７】
次に、更新部５３は、検出した送客判定候補端末がカウント判定テーブルに設定されたカウント条件を満たすか否かを判定し、判定結果に応じて、広告コンテンツ単位で、送客カウント値を更新する。２月１日の１０時４０分〜１０時４５分の期間において、広告ＩＤ「Ｏ１」の広告コンテンツを表示したデジタルサイネージ４はＤＳ−ＩＤ「Ｄ２」のデジタルサイネージ４である。そして、図４に示すように、ＤＳ−ＩＤ「Ｄ２」のデジタルサイネージ４の画面サイズは、５０インチである。
【００８８】
図７に示すカウント判定テーブルにおいて、５０インチは、５０インチ以上７０インチ未満に含まれることから、更新部５３は、電波強度閾値が「６」であり、滞在時間閾値が「８秒」であると判定する。したがって、更新部５３は、検出情報テーブルに基づき、送客側通信エリア内において、送客判定候補端末の電波強度が６以上の状態が８秒以上続いたか否かを判定する。
【００８９】
送客側通信エリア内において、送客判定候補端末の電波強度が６以上の状態が８秒以上続いている場合、更新部５３は、広告情報テーブルにおいて、広告ＩＤ「Ｏ１」に対応する「送客カウント値」を「１」だけインクリメントする。
【００９０】
図５に示す例では、例えば、広告ＩＤ「Ｏ１」に関し、送客側の無線ＬＡＮアクセスポイント３のＡＰ通信エリア６内に進入した後に集客側の無線ＬＡＮアクセスポイント３のＡＰ通信エリア６に進入した無線端末２を検出した回数が５０３１（回）であることを示している。
【００９１】
このように、更新部５３は、送客側通信エリアに進入した後に集客側通信エリアに進入した無線端末２を検出し、送客カウント値を更新する。広告コンテンツが表示される送客側通信エリアに進入した後に集客側通信エリアに進入した無線端末２のユーザは、広告コンテンツによって集客側通信エリアへ誘導されたと推定できることから、送客カウント値に基づき広告コンテンツによる広告効果を迅速かつ適切に判定することができる。
【００９２】
また、デジタルサイネージ４の画面サイズによって電波強度閾値や滞在時間閾値を変更することから、デジタルサイネージ４を視認した可能性がより高い無線端末２を送客カウント値の更新対象とすることで、広告コンテンツによる広告効果をより精度よく判定することができる。なお、更新部５３は、電波強度閾値および滞在時間閾値の両方を送客カウント値の更新条件とするのではなく、いずれか一方をカウント値の更新条件とすることもできる。また、送客側の無線ＬＡＮアクセスポイント３のＡＰ通信エリアを調整してデジタルサイネージ４の近傍のみをＡＰ通信エリアとしてもよく、この場合、電波強度閾値および滞在時間閾値を用いなくてもよい。
【００９３】
また、更新部５３は、広告コンテンツに音情報が含まれているか否かで、電波強度閾値や滞在時間閾値を変更することもできる。広告コンテンツに音情報が含まれている場合、デジタルサイネージ４は内部に設けられたスピーカから音情報に対応する音（音楽や音声など）を出力する。
【００９４】
例えば、更新部５３は、広告コンテンツに音情報が含まれている場合には、カウント判定テーブルに設定された電波強度閾値および滞在時間閾値のいずれか一方または両方に所定の係数Ｋａ（＜１）を乗算して求めた新たな閾値をカウント条件とすることもできる。また、更新部５３は、広告コンテンツに音情報が含まれていない場合に、カウント判定テーブルに設定された電波強度閾値および滞在時間閾値のいずれか一方または両方に所定の係数Ｋｂ（＞１）を乗算して求めた新たな閾値をカウント条件とすることもできる。
【００９５】
さらに、更新部５３は、広告コンテンツに含まれる音情報の種類、音量、周波数などに応じてさらに電波強度閾値および滞在時間閾値のいずれか一方または両方を変更することもできる。
【００９６】
また、更新部５３は、さらに、集客側通信エリアに進入した無線端末２の電波強度や滞在時間が所定閾値以上である場合に限り、送客カウント値を更新することもできる。このようにすることで、集客側通信エリアの商業空間で商品やサービスを購入した可能性が高い無線端末２のユーザを抽出することができ、広告コンテンツによる広告効果をより精度よく判定することができる。なお、この場合、更新部５３は、さらに、集客側通信エリアに進入した無線端末２の電波強度および滞在時間のいずれか一方が所定閾値以上である場合に、送客カウント値を更新することもできる。
【００９７】
また、更新部５３は、広告情報テーブルにおいて、各広告コンテンツに対して複数種類の送客カウント値を設定することができる。例えば、更新部５３は、電波強度閾値や滞在時間閾値を複数段階に分け、各段階のカウント条件に基づいて各段階に対応する送客カウント値を更新する。例えば、更新部５３は、電波強度閾値や滞在時間閾値が第１閾値以上第２閾値未満である場合に、第１送客カウント値を更新し、電波強度閾値や滞在時間閾値が第２閾値以上である場合に、第２送客カウント値を更新する。このように複数の送客カウント値を設けることにより、送客側通信エリアにおける無線端末２の状態に基づいた送客効果を更新することができ、広告コンテンツによる広告効果をより適切に判定することができる。
【００９８】
〔１．４．４．決定部５４〕
決定部５４は、広告コンテンツ単位で、広告コンテンツのデジタルサイネージ４への表示に対する対価の額である広告料を決定する。具体的には、決定部５４は、広告コンテンツのデジタルサイネージ４への表示が終了した場合、広告情報テーブルに設定された送客カウント値に基づき、広告コンテンツの広告料を決定する。
【００９９】
決定部５４は、第１決定モードおよび第２決定モードのいずれかによって広告コンテンツの広告料を決定する。決定モードは、広告コンテンツ毎に設定される。広告コンテンツをいずれの決定モードに設定するかは例えば広告主の選択によって設定される。
【０１００】
決定部５４は、第１決定モードが設定された広告コンテンツに対しては、送客カウント値に所定値を乗算した結果を広告料とする。例えば、広告ＩＤ「Ｏ１」の広告コンテンツに関し、送客カウント値が１００００であり、所定値が１０である場合、決定部５４は、広告ＩＤ「Ｏ１」の広告コンテンツの広告料を１０万円（＝１００００×１０）と決定する。
【０１０１】
決定部５４は、第２決定モードが設定された広告コンテンツに対しては、送客カウント値に所定値を乗算した値と、表示回数と表示時間との乗算値に係数Ｋを乗算した値とを加算した値を広告料とする。例えば、広告ＩＤ「Ｏ１」の広告コンテンツに関し、送客カウント値が１００００であり、所定値が５であり、係数Ｋが１０であるとする。この場合、決定部５４は、広告ＩＤ「Ｏ１」の広告コンテンツの広告料を１０万円（＝１００００×５＋１０００×５×１０）と決定する。
【０１０２】
決定部５４は、広告コンテンツの広告料を決定した後、決定した広告料の情報が設定された決済情報を決済サーバ（図示せず）へ送信し、決済処理を行うことができる。
【０１０３】
〔１．５．広告システム１の処理フロー〕
次に、実施形態に係る広告システム１による情報処理の手順について図８および図９を参照して説明する。
【０１０４】
〔１．５．１．無線ＬＡＮアクセスポイント３の処理フロー〕
まず、実施形態に係る無線ＬＡＮアクセスポイント３の情報処理について、図８を参照して説明する。図８は、無線ＬＡＮアクセスポイント３における情報処理のフローチャートである。かかる動作は、無線ＬＡＮアクセスポイント３の制御部２３によって繰り返し実行される処理である。
【０１０５】
図８に示すように、無線ＬＡＮアクセスポイント３の制御部２３は、無線ＬＡＮ通信部２１を介して無線端末２を検出したか否かを判定する（ステップＳ２０）。かかる処理において、無線端末２を検出したと判定すると（ステップＳ２０；Ｙｅｓ）、通信部２２を介して無線端末２の端末ＩＤやＡＰ−ＩＤなどを含む検出情報を、広告配信管理装置５へ送信する（ステップＳ２１）。
【０１０６】
無線端末２を検出していないと判定した場合（ステップＳ２０；Ｎｏ）、または、ステップＳ２１の処理が終了した場合、制御部２３は、通信ネットワーク７に接続されたサーバ装置（例えば、ウェブサーバ９）から通信部２２を介して情報を受信したか否かを判定する（ステップＳ２２）。サーバ装置から情報を受信したと判定すると（ステップＳ２２；Ｙｅｓ）、制御部２３は、受信した情報をこの情報の宛先となる無線端末２へ転送する（ステップＳ２３）。
【０１０７】
情報を受信していないと判定した場合（ステップＳ２２；Ｎｏ）、または、ステップＳ２３の処理が終了した場合、制御部２３は、無線端末２からサーバ装置に対する要求があるか否かを判定する（ステップＳ２４）。無線端末２からサーバ装置に対する要求があると判定すると（ステップＳ２４；Ｙｅｓ）、制御部２３は、無線端末２からサーバ装置に対する要求を、通信部２２を介してサーバ装置に転送する（ステップＳ２５）。
【０１０８】
無線端末２からサーバ側装置に対する要求がないと判定された場合（ステップＳ２４；Ｎｏ）、または、ステップＳ２５の処理が終了した場合、制御部２３は情報処理を終了する。
【０１０９】
〔１．５．２．広告配信管理装置５の処理フロー〕
次に、広告配信管理装置５の処理について説明する。図９は、広告配信管理装置５における情報処理のフローチャートである。かかる動作は、広告配信管理装置５の制御部３２によって繰り返し実行される処理である。
【０１１０】
図９に示すように、制御部３２は、ＤＳ情報テーブルに基づき、広告コンテンツのデジタルサイネージ４への送信タイミングが到来したか否かを判定すると（ステップＳ３０）。送信タイミングが到来したと判定する（ステップＳ３０；Ｙｅｓ）、制御部３２は、送信タイミングが到来した広告コンテンツを広告情報ＤＢ４１から読み出して通信ネットワーク７を介してデジタルサイネージ４へ送信する（ステップＳ３１）。
【０１１１】
送信タイミングが到来していないと判定した場合（ステップＳ３０；Ｎｏ）、または、ステップＳ３１の処理が終了した場合、制御部３２は、通信部３０を介して無線ＬＡＮアクセスポイント３からの検出情報を取得したか否かを判定する（ステップＳ３２）。検出情報を取得した場合（ステップＳ３２；Ｙｅｓ）、制御部３２は、検出情報テーブルを更新する（ステップＳ３３）。
【０１１２】
ステップＳ３３の処理が終了した場合、制御部３２は、無線端末２が集客側通信エリアに新たに進入したか否かを判定する（ステップＳ３４）。無線端末２が集客側通信エリアに新たに進入したと判定すると（ステップＳ３４；Ｙｅｓ）、制御部３２は、集客側通信エリアに新たに進入した無線端末２が過去に進入したＡＰ通信エリア６を判定する（ステップＳ３５）。
【０１１３】
そして、制御部３２は、集客側通信エリアに新たに進入した無線端末２が過去に進入したＡＰ通信エリア６に送客側通信エリアが含まれるか否かを判定する（ステップＳ３６）。ＡＰ通信エリア６に送客側通信エリアが含まれると判定した場合（ステップＳ３６；Ｙｅｓ）、制御部３２は、集客側通信エリアに新たに進入した無線端末２を送客対象候補端末とする。そして、制御部３２は、送客側通信エリアにおける送客対象候補端末の電波強度および滞在時間がカウント判定テーブルに設定されたカウント条件を満たすか否かを判定する（ステップＳ３７）。
【０１１４】
送客対象候補端末の電波強度および滞在時間がカウント条件を満たすと判定すると（ステップＳ３７；Ｙｅｓ）、制御部３２は、広告情報テーブルにおいて、送客対象候補端末に対応する送客カウント値をインクリメントして広告情報テーブルを更新する（ステップＳ３８）。
【０１１５】
検出情報を取得していないと判定した場合（ステップＳ３２；Ｎｏ）、無線端末２が集客側通信エリアに新たに進入していないと判定した場合（ステップＳ３４；Ｎｏ）、ＡＰ通信エリア６に送客側通信エリアが含まれていないと判定した場合（ステップＳ３６；Ｎｏ）、ステップＳ３７において、送客対象候補端末の電波強度および滞在時間がカウント条件を満たさないと判定した場合（ステップＳ３７；Ｎｏ）、または、ステップＳ３８の処理が終了した場合、制御部３２は情報処理を終了する。
【０１１６】
以上のように、第１の実施形態に係る広告システム１は、無線ＬＡＮアクセスポイント３によって検出された情報に基づき、送客側通信エリアに進入した後に送客側通信エリアに進入した無線端末２を検出し、かかる検出結果に基づき、広告コンテンツによる送客結果の情報を更新する。これにより、広告コンテンツによる広告効果を迅速かつ適切に判定することができる。
【０１１７】
〔２．第２の実施形態〕
〔２．１．  広告システムの構成〕
次に、第２の実施形態に係る広告システムについて説明する。第２の実施形態に係る広告システムは、送客側通信エリアにおいて無線ＬＡＮアクセスポイントから無線端末に対して広告ＩＤを送信し、集客側通信エリアにおいて、無線端末から広告ＩＤを取得することで、広告コンテンツによる送客結果の情報を更新する。なお、以下において、第１の実施形態に係る広告システム１の構成と同様の機能を有する部位については、同一符号を付して説明を省略する。
【０１１８】
図１０は、第２の実施形態に係る広告システムの構成を示す図である。図１０に示すように、第２の実施形態に係る広告システム１Ａは、無線端末２Ａ1〜２Ａn（以下、無線端末２Ａと総称する場合がある）と、無線ＬＡＮアクセスポイント３Ａ1〜３Ａm（以下、無線ＬＡＮアクセスポイント３Ａと総称する場合がある）と、デジタルサイネージ４1〜４mと、広告配信管理装置５Ａとを備える。
【０１１９】
無線端末２Ａは、通信部６０と、表示部６１と、記憶部６２と、制御部６３とを有する。通信部６０は、無線ＬＡＮ通信機能を有しており、無線ＬＡＮアクセスポイント３Ａとの間で情報の送受信を行う。
【０１２０】
記憶部６２は、例えば、ＲＡＭ、フラッシュメモリ等の半導体メモリ素子、または、ハードディスク、光ディスク等の記憶装置である。かかる記憶部６２は各種プログラムや設定データなどが記憶される。記憶部６２に記憶されるプログラムは、例えば、ＯＳ、広告配信管理装置５Ａから取得された専用アプリケーションプログラム（以下、専用アプリと記載する）などである。
【０１２１】
制御部６３は、例えば、ＡＳＩＣやＦＰＧＡ等の集積回路により実現される。また、制御部６３は、例えば、ＣＰＵやＭＰＵ等によって、記憶部６２に記憶されているプログラムが図示しない内部ＲＡＭを作業領域として実行されることにより後述する情報処理の機能や作用を実現または実行する。
【０１２２】
制御部６３は、送客側通信エリアの無線ＬＡＮアクセスポイント３Ａから周期的（例えば、１秒周期）に送信される広告関連情報を、通信部６０を介して取得し、記憶部６２に記憶し、さらに、広告関連情報を含む無線信号の電波強度を検出し、広告関連情報に関連付けて記憶部６２に記憶する。無線ＬＡＮアクセスポイント３Ａから送信される広告関連情報には、広告ＩＤ、集客側ＡＰ−ＩＤおよび時刻情報が含まれる。
【０１２３】
また、制御部６３は、集客側通信エリアに進入した場合に、記憶部６２に記憶している広告関連情報に電波強度を追加した端末情報を通信部６０を介して無線ＬＡＮアクセスポイント３Ａへ送信する。集客側通信エリアの無線ＬＡＮアクセスポイント３Ａは、対応するデジタルサイネージ４がある場合には自装置のＡＰ−ＩＤと広告関連情報を無線端末２Ａへ送信し、対応するデジタルサイネージ４がない場合には自装置のＡＰ−ＩＤを無線端末２Ａへ送信する。制御部６３は、無線ＬＡＮアクセスポイント３Ａから送信されるＡＰ−ＩＤが、記憶部６２に記憶している広告関連情報に含まれる集客側ＡＰ−ＩＤと一致する場合に、集客側通信エリアに進入したと判定する。
【０１２４】
なお、無線ＬＡＮアクセスポイント３Ａは、自装置のＡＰ−ＩＤに代えて、自装置のＡＰ−ＬＩＤを含む無線信号を無線端末２Ａへ送信するようにしてもよい。ＡＰ−ＬＩＤは、例えば、無線ＬＡＮアクセスポイント３Ａの無線ＬＡＮ通信部２１のＭＡＣアドレスである。
【０１２５】
無線ＬＡＮアクセスポイント３Ａは、無線ＬＡＮ通信部２１と、通信部２２と、制御部２３Ａとを有する。制御部２３Ａは、中継部２５と、検出部２６Ａと、設定部２７を備える。
【０１２６】
検出部２６Ａは、無線端末２Ａから送信される端末情報を無線ＬＡＮ通信部２１を介して取得し、かかる端末情報を広告配信管理装置５Ａへ転送する。
【０１２７】
設定部２７は、デジタルサイネージ４で表示される広告コンテンツの広告ＩＤ、集客側ＡＰ−ＩＤおよび広告表示時間を含む情報（以下、表示広告情報と記載する）を広告配信管理装置５Ａから取得し、内部に記憶する。設定部２７は、表示広告情報の広告表示時間に基づき、デジタルサイネージ４で表示される広告コンテンツを判定し、かかる広告コンテンツの広告ＩＤおよび集客側ＡＰ−ＩＤを含む広告関連情報を周期的に無線ＬＡＮ通信部２１から送信させる。これにより、集客側ＡＰ通信エリアに進入した無線端末２Ａに広告関連情報を送信することができる。また、設定部２７は、広告関連情報を無線ＬＡＮ通信部２１からビーコンやプローブ応答などに付加して送信するようにしてもよい。
【０１２８】
広告配信管理装置５Ａは、通信部３０と、記憶部３１と、制御部３２Ａとを備える。制御部３２Ａは、配信部５１Ａと、取得部５２Ａと、更新部５３Ａと、決定部５４とを備える。
【０１２９】
配信部５１Ａは、配信部５１と同様に、広告情報ＤＢ４１に記憶されたＤＳ情報テーブルに基づいて広告コンテンツをデジタルサイネージ４へ送信する。さらに、配信部５１Ａは、ＤＳ情報テーブルに基づいてデジタルサイネージ４に表示させる広告コンテンツの広告ＩＤと広告表示時間とを抽出し、さらに、広告情報テーブルに基づいてデジタルサイネージ４に表示させる広告コンテンツの広告ＩＤに対応する集客側ＡＰ−ＩＤを抽出する。そして、配信部５１Ａは、抽出した広告ＩＤ、広告表示時間および集客側ＡＰ−ＩＤを含む表示広告情報をデジタルサイネージ４に対応する無線ＬＡＮアクセスポイント３Ａへ送信する。
【０１３０】
例えば、ＤＳ情報テーブルが図４に示す状態である場合、ＤＳ−ＩＤ「Ｄ１」のデジタルサイネージ４には、２月１日の１２時３５分から１２時４５分の間に広告ＩＤ「Ｏ２」の広告コンテンツが表示される。この場合、配信部５１Ａは、ＤＳ−ＩＤ「Ｄ１」に対応するＡＰ−ＩＤ「Ａ１」の無線ＬＡＮアクセスポイント３Ａに対して、広告ＩＤ「Ｏ２」の情報と、広告表示時間「２月１日の１２時３５分〜１２時４５分」の情報とを抽出する。
【０１３１】
また、広告情報テーブルが図５に示す状態である場合、広告ＩＤ「Ｏ２」に集客側ＡＰ−ＩＤ「Ａ２」が対応しており、配信部５１Ａは、集客側ＡＰ−ＩＤ「Ａ２」を抽出する。配信部５１Ａは、抽出した広告ＩＤ「Ｏ２」、広告表示時間「２月１日の１２時３５分〜１２時４５分」および集客側ＡＰ−ＩＤ「Ａ２」を含む表示広告情報をＡＰ−ＩＤ「Ａ１」の無線ＬＡＮアクセスポイント３Ａへ送信する。
【０１３２】
取得部５２Ａは、無線ＬＡＮアクセスポイント３Ａから送信される端末情報を取得する。取得部５２Ａは、無線ＬＡＮアクセスポイント３Ａから送信される端末情報を取得すると、端末情報をＡＰ情報ＤＢ４２に記憶する。
【０１３３】
更新部５３Ａは、ＡＰ情報ＤＢ４２に記憶されている端末情報に基づき、送客側通信エリアに進入した後に集客側通信エリアに進入した無線端末２Ａを検出し、送客カウント値を更新する。
【０１３４】
端末情報は、送客側通信エリアに進入した後に集客側通信エリアに進入した無線端末２Ａから送信されるものであり、端末情報を送信した無線端末２Ａは、送客判定候補端末である。更新部５３Ａは、送客判定候補端末から送信される端末情報に基づき、送客判定候補端末の送客側通信エリアでの電波強度や滞在時間が、カウント判定テーブル（図７参照）に設定されたカウント条件を満たすか否かを判定する。
【０１３５】
かかる処理において、更新部５３Ａは、送客側通信エリアに設置されたデジタルサイネージ４の画面サイズに対応するカウント条件をカウント判定テーブルから読み出す。そして、更新部５３Ａは、送客判定候補端末から送信される端末情報に含まれる電波強度や時刻情報に基づき、更新部５３の処理と同様の処理により、送客判定候補端末の送客側通信エリアでの電波強度や滞在時間が、カウント条件を満たすか否かを判定する。更新部５３Ａは、送客判定候補端末の送客側通信エリアでの電波強度や滞在時間がカウント条件を満たす場合に、広告コンテンツに対応するカウント値をインクリメントする。
【０１３６】
図１１は、第２の実施形態に係る広告システム１Ａによる広告効果判定方法の説明図である。図１１に示すように、広告配信管理装置５Ａは、送客側店舗に設置された無線ＬＡＮアクセスポイント３Ａ1のＡＰ通信エリア６1内に配置されたデジタルサイネージ４へ広告コンテンツを送信する（ステップＳ４０）。デジタルサイネージ４へ送信される広告コンテンツは、無線ＬＡＮアクセスポイント３Ａ2が設置された集客側店舗に関する広告を含む情報である。
【０１３７】
さらに、広告配信管理装置５Ａは、送客側店舗に設置された無線ＬＡＮアクセスポイント３Ａ1に対し、デジタルサイネージ４へ送信した広告コンテンツの広告ＩＤ、広告表示時間および集客側ＡＰ−ＩＤの情報を含む表示広告情報を送信する（ステップＳ４１)。
【０１３８】
デジタルサイネージ４は、広告配信管理装置５Ａから広告コンテンツを取得すると、かかる広告コンテンツを表示する（ステップＳ４２）。また、無線ＬＡＮアクセスポイント３Ａ1は、広告配信管理装置５Ａから表示広告情報の情報を取得すると、内部の記憶部に表示広告情報の情報を記憶する（ステップＳ４３)。
【０１３９】
無線ＬＡＮアクセスポイント３Ａ1は、デジタルサイネージ４に広告コンテンツが表示されている状態で、表示広告情報に基づき、広告ＩＤおよび広告表示時間を含む広告関連情報を周期的に無線ＬＡＮ通信部２１から出力する（ステップＳ４４）。これにより、無線端末２Ａは、ＡＰ通信エリア６1に進入すると広告関連情報を取得することができる。
【０１４０】
無線端末２Ａは、無線ＬＡＮアクセスポイント３Ａ1から広告関連情報を受信すると、かかる広告関連情報を記憶する（ステップＳ４５）。これにより、無線端末２Ａは、送客側通信エリア内のデジタルサイネージ４に表示された広告コンテンツの広告ＩＤを含む情報を記憶することができる。
【０１４１】
その後、無線端末２Ａのユーザが集客側店舗へ移動してＡＰ通信エリア６2に進入すると、無線ＬＡＮアクセスポイント３Ａ2は、無線端末２Ａから端末情報を取得し（ステップＳ４６）、取得した端末情報を広告配信管理装置５Ａへ送信する（ステップＳ４７）。
【０１４２】
広告配信管理装置５Ａは、無線ＬＡＮアクセスポイント３Ａ2から端末情報を受信すると、無線端末２Ａのユーザが広告コンテンツによって集客側店舗へ誘導されたと判定し、広告コンテンツによる送客結果の情報を更新する（ステップＳ４８）。例えば、広告配信管理装置５Ａは、広告コンテンツによって集客側店舗へ誘導されたと判定する度に広告コンテンツに対応する送客カウント値をインクリメントする。その後、広告配信管理装置５Ａは、図１Ｂに示すステップＳ９の処理と同様に、デジタルサイネージ４への広告コンテンツの表示が終了すると、広告コンテンツの広告料を決定する（ステップＳ４９）。
【０１４３】
このように、第２の実施形態に係る広告システム１Ａは、第１の実施形態に係る広告システム１とは異なり、無線端末２Ａが進入した送客側通信エリア内のデジタルサイネージ４で表示されている広告コンテンツの広告ＩＤおよび集客側ＡＰ−ＩＤを含む広告関連情報を無線端末２Ａが取得して記憶する。これにより、広告配信管理装置５Ａで検出情報を取得して管理するなどの必要がなく、広告配信管理装置５Ａの処理負荷を軽減することができる。
【０１４４】
〔２．２．広告システム１の処理フロー〕
次に、第２の実施形態に係る広告システム１Ａによる情報処理の手順について図１２〜図１４を参照して説明する。
【０１４５】
まず、無線端末２Ａの情報処理について、図１２を参照して説明する。図１２は、無線端末２Ａにおける情報処理のフローチャートである。かかる動作は、無線端末２Ａの制御部６３によって繰り返し実行される処理であり、専用アプリによる処理である。
【０１４６】
図１２に示すように、無線端末２Ａの制御部６３は、送客側通信エリアの無線ＬＡＮアクセスポイント（ＡＰ）３Ａから広告関連情報を取得したか否かを判定する（ステップＳ５０）。かかる処理において、広告関連情報を取得したと判定すると（ステップＳ５０；Ｙｅｓ）、制御部６３は、取得した広告関連情報を記憶部６２に記憶する（ステップＳ５１)。
【０１４７】
広告関連情報を取得していないと判定した場合（ステップＳ５０；Ｎｏ)、または、ステップＳ５１の処理が終了した場合、制御部６３は、集客側通信エリアの無線ＬＡＮアクセスポイント３ＡのＡＰ−ＩＤを取得したか否かを判定する（ステップＳ５２)。集客側通信エリアの無線ＬＡＮアクセスポイント３ＡのＡＰ−ＩＤを取得したと判定すると（ステップＳ５２；Ｙｅｓ)、制御部６３は、送客側通信エリアの無線ＬＡＮアクセスポイント３Ａから取得した広告関連情報を含む情報を端末情報として無線ＬＡＮアクセスポイント３Ａへ送信する（ステップＳ５３）。
【０１４８】
送客側通信エリアの無線ＬＡＮアクセスポイント３ＡのＡＰ−ＩＤを取得していないと判定した場合（ステップＳ５２；Ｎｏ)、または、ステップＳ５３の処理が終了した場合、情報処理を終了する。
【０１４９】
次に、無線ＬＡＮアクセスポイント３Ａの情報処理について、図１３を参照して説明する。図１３は、無線ＬＡＮアクセスポイント３Ａにおける情報処理のフローチャートである。かかる動作は、無線ＬＡＮアクセスポイント３Ａの制御部２３Ａによって繰り返し実行される処理である。なお、図１３のステップＳ６６〜Ｓ６９の処理は、図８のステップＳ２２〜Ｓ２５の処理と同じであり、以下においては説明を省略する。
【０１５０】
図１３に示すように、無線ＬＡＮアクセスポイント３Ａの制御部２３Ａは、通信部２２を介して広告配信管理装置５Ａからデジタルサイネージ４で表示される広告コンテンツの広告ＩＤおよび広告表示時間を含む表示広告情報を取得したか否かを判定する（ステップＳ６０）。表示広告情報を取得したと判定すると（ステップＳ６０；Ｙｅｓ)、制御部２３Ａは、表示広告情報を記憶する（ステップＳ６１）。
【０１５１】
表示広告情報を取得していないと判定した場合（ステップＳ６０；Ｎｏ）、または、ステップＳ６１の処理が終了した場合、制御部２３Ａは、広告関連情報の送信タイミングになったか否かを判定する（ステップＳ６２)。広告関連情報の送信タイミングになったと判定すると（ステップＳ６２；Ｙｅｓ)、制御部２３Ａは、広告関連情報を無線端末２Ａへ送信する（ステップＳ６３）。
【０１５２】
広告関連情報の送信タイミングになっていないと判定した場合（ステップＳ６２；Ｎｏ）、または、ステップＳ６３の処理が終了した場合、無線ＬＡＮ通信部２１を介して無線端末２Ａから端末情報を取得したか否かを判定する（ステップＳ６４）。かかる処理において、端末情報を取得したと判定すると（ステップＳ６４；Ｙｅｓ）、取得した端末情報を、広告配信管理装置５Ａへ転送する（ステップＳ６５）。その後、ステップＳ６６以降の処理を行う。
【０１５３】
次に、広告配信管理装置５Ａの処理について説明する。図１４は、広告配信管理装置５Ａにおける情報処理のフローチャートである。かかる動作は、広告配信管理装置５Ａの制御部３２Ａによって繰り返し実行される処理である。
【０１５４】
図１４に示すように、制御部３２Ａは、ＤＳ情報テーブルに基づき、広告コンテンツのデジタルサイネージ４への送信タイミングが到来したか否かを判定すると（ステップＳ７０）。送信タイミングが到来したと判定する（ステップＳ７０；Ｙｅｓ）、制御部３２Ａは、ステップＳ７１の処理およびステップＳ７２の処理を実行する。
【０１５５】
ステップＳ７１の処理では、制御部３２Ａは、送信タイミングが到来した広告コンテンツを広告情報ＤＢ４１から読み出して通信ネットワーク７を介して広告コンテンツをデジタルサイネージ４へ送信する。また、ステップＳ７２の処理では、制御部３２Ａは、ステップＳ７１で送信した広告コンテンツの広告ＩＤを含む表示広告情報をデジタルサイネージ４に対応する無線ＬＡＮアクセスポイント３Ａへ送信する。
【０１５６】
送信タイミングが到来していないと判定した場合（ステップＳ７０；Ｎｏ）、または、ステップＳ７２の処理が終了した場合、制御部３２Ａは、通信部３０を介して無線ＬＡＮアクセスポイント３Ａから無線端末２Ａの端末情報を取得したか否かを判定する（ステップＳ７３）。無線端末２Ａの端末情報を取得したと判定した場合（ステップＳ７３；Ｙｅｓ）、制御部３２Ａは、端末情報に対応する無線端末２Ａを送客対象候補端末とする。そして、制御部３２Ａは、送客側通信エリアにおける送客対象候補端末の電波強度および滞在時間がカウント判定テーブルに設定されたカウント条件を満たすか否かを判定する（ステップＳ７４）。
【０１５７】
送客対象候補端末の電波強度および滞在時間がカウント条件を満たすと判定すると（ステップＳ７４；Ｙｅｓ）、制御部３２Ａは、広告情報テーブルにおいて、送客対象候補端末に対応する送客カウント値をインクリメントして広告情報テーブルを更新する（ステップＳ７５）。なお、無線端末２Ａの端末情報を取得していないと判定した場合（ステップＳ７３；Ｎｏ）、送客対象候補端末の電波強度および滞在時間がカウント条件を満たさないと判定した場合（ステップＳ７４；Ｎｏ）、または、ステップＳ７５の処理が終了した場合、制御部３２Ａの情報処理を終了する。
【０１５８】
以上のように、第２の実施形態に係る広告システム１Ａは、送客側通信エリアのデジタルサイネージ４で表示されている広告コンテンツに関する情報を無線端末２Ａへ記憶させる。そして、広告配信管理装置５Ａは、無線端末２Ａが集客側通信エリアへ進入した場合に、広告コンテンツに関する情報を含む端末情報を無線ＬＡＮアクセスポイント３Ａを介して無線端末２Ａから取得する。広告配信管理装置５Ａは、無線端末２Ａの端末情報に基づき、送客側通信エリアに進入した後に送客側通信エリアに進入した無線端末２Ａを検出することができ、かかる検出結果に基づき、広告コンテンツによる送客結果の情報を更新する。これにより、広告コンテンツによる広告効果を迅速かつ適切に判定することができる。
【０１５９】
なお、上述した第２の実施形態では、制御部３２Ａにおいて、端末情報に対応する無線端末２Ａを送客対象候補端末とし、送客側通信エリアにおける送客対象候補端末の電波強度および滞在時間がカウント条件を満たすか否かを判定したが、かかる処理を無線端末２Ａで行うようにしてもよい。例えば、制御部３２Ａは、カウント判定テーブルから対応するカウント条件を取得して無線ＬＡＮアクセスポイント３Ａへ送信し、無線ＬＡＮアクセスポイント３Ａが無線端末２Ａへカウント条件の情報を送信する。無線端末２Ａの制御部６３は、無線ＬＡＮアクセスポイント３Ａから取得したカウント条件と端末情報とに基づいて、送客カウント値のインクリメント対象となるか否かを判定する。送客カウント値のインクリメント対象となると判定すると、無線端末２Ａの制御部６３は、インクリメント要求を無線ＬＡＮアクセスポイント３Ａへ送信し、無線ＬＡＮアクセスポイント３Ａから広告配信管理装置５Ａへ転送される。広告配信管理装置５Ａは、インクリメント要求を受信すると、かかるインクリメント要求に対応する送客カウント値をインクリメントする。
【０１６０】
また、上述した第２の実施形態では、無線端末２Ａが送客対象候補端末であるか否かを無線端末２Ａの制御部６３が判定したが、無線ＬＡＮアクセスポイント３Ａの制御部２３Ａが判定してもよい。この場合、広告配信管理装置５Ａの制御部３２Ａは、広告ＩＤに加え、集客側ＡＰ−ＩＤ（図５参照）を無線ＬＡＮアクセスポイント３Ａへ送信する。無線端末２Ａは、ＡＰ通信エリア６に進入すると端末情報を送信する。無線ＬＡＮアクセスポイント３Ａの制御部２３Ａは、無線端末２Ａから端末情報を取得すると、端末情報に含まれるＡＰ−ＩＤが広告配信管理装置５Ａから取得した集客側ＡＰ−ＩＤが一致する場合に、無線端末２Ａからの端末情報を広告配信管理装置５Ａへ送信する。
【０１６１】
また、上述した第２の実施形態では、無線端末２Ａが送客対象候補端末であるか否かを無線端末２Ａの制御部６３が判定したが、広告配信管理装置５Ａの制御部３２Ａが判定してもよい。この場合、無線端末２Ａは、ＡＰ通信エリア６に進入すると端末情報を送信する。無線ＬＡＮアクセスポイント３Ａの制御部２３Ａは、無線端末２Ａから端末情報を取得すると、無線端末２Ａからの端末情報に自装置のＡＰ−ＩＤを付加して広告配信管理装置５Ａへ送信する。広告配信管理装置５Ａの制御部３２Ａは、無線ＬＡＮアクセスポイント３Ａから送信される情報に基づき、制御部３２と同様の判定方法によって、無線端末２Ａが送客対象候補端末であるか否かを判定する。
【０１６２】
〔３．変形例〕
上述した実施形態では、一つの広告コンテンツがデジタルサイネージ４に表示されている間に無線端末２（２Ａ）がＡＰ通信エリア６へ進入および退出する例を説明したが、無線端末２（２Ａ）がＡＰ通信エリア６へ進入し退出する間に、複数の広告コンテンツがデジタルサイネージ４に表示される場合には、それぞれの広告コンテンツに対する送客カウント値の更新処理が行われる。なお、この場合、更新部５３（５３Ａ）は、電波強度や滞在時間に応じて複数の広告コンテンツのうち一つの送客カウント値の更新処理を行うようにしてよい。例えば、更新部５３（５３Ａ）は、電波強度が強い方や滞在時間が長い方の広告コンテンツの送客カウント値の更新処理を行う。
【０１６３】
また、更新部５３（５３Ａ）は、１以上の送客側通信エリアに進入した後、集客側通信エリアに進入した無線端末２（２Ａ）がある場合に、広告コンテンツの送客カウント値の更新処理を行うが、かかる処理に限定されない。例えば、制御部３２（３２Ａ）は、複数の送客側通信エリアに進入した後、同一集客側通信エリアに進入した無線端末２（２Ａ）がある場合、例えば、進入した送客側通信エリアの数に応じて広告コンテンツの送客カウント値をインクリメントすることができる。
【０１６４】
また、更新部５３（５３Ａ）は、送客側通信エリアに進入した後、集客側通信エリアに進入した無線端末２（２Ａ）がある場合に、広告コンテンツの送客カウント値の更新処理を行うが、無線端末２（２Ａ）が送客側通信エリアに進入する以前に集客側通信エリアへ進入した回数または進入頻度が所定閾値以上である場合、広告コンテンツの送客カウント値の更新処理を行わないようにもできる。
【０１６５】
また、上述した実施形態では、配信部５１（５１Ａ）は、ＤＳ情報テーブルに設定された情報に基づいて広告コンテンツをデジタルサイネージ４へ送信するようにしたが、その他の情報に基づいて広告コンテンツを送信するデジタルサイネージ４を選択することができる。
【０１６６】
例えば、配信部５１（５１Ａ）は、送客カウント値に応じて広告コンテンツを送信するデジタルサイネージ４を選択することができる。例えば、配信部５１（５１Ａ）は、広告コンテンツのデジタルサイネージ４への表示を開始する初期段階では、複数のデジタルサイネージ４へ広告コンテンツを送信し、その後、送客カウント値の更新に貢献した送客側通信エリアのデジタルサイネージ４に絞って広告コンテンツを送信する。例えば、配信部５１（５１Ａ）は、送客カウント値の更新に貢献した割合が高い所定数のデジタルサイネージ４を判定し、これらのデジタルサイネージ４に対して広告コンテンツを送信する。
【０１６７】
また、配信部５１（５１Ａ）は、ＡＰ通信エリア６の商業空間の種別（例えば、販売商品など）に基づいて、広告コンテンツを送信するデジタルサイネージ４を選択することができる。例えば、広告コンテンツの種別に対応する種別の商業空間に設置されたデジタルサイネージ４へ広告コンテンツを送信する。また、配信部５１（５１Ａ）は、ＡＰ通信エリア６に存在する無線端末２（２Ａ）のユーザ情報に基づき、広告コンテンツを送信するデジタルサイネージ４を選択することもできる。
【０１６８】
また、上述の実施形態では、更新部５３（５３Ａ）は、送客側通信エリアに進入した後、集客側通信エリアに進入した無線端末２（２Ａ）がある場合に、広告コンテンツの送客カウント値の更新処理を行うが、送客側通信エリアに進入してから集客側通信エリアに進入するまで時間が所定時間以上である場合には、送客カウント値の更新処理を行わないようにもできる。例えば、更新部５３（５３Ａ）は、送客側通信エリアに進入してから集客側通信エリアに進入するまで時間が１週間以上である場合には、送客カウント値の更新処理を行わない。
【０１６９】
〔４．効果〕
上述してきたように、実施形態に係る広告システム１、１Ａは、広告コンテンツが表示されるデジタルサイネージ４に対応する位置に設置された無線ＬＡＮアクセスポイント３、３Ａ（送客側無線ＬＡＮ通信手段の一例）と、広告コンテンツの広告対象となる商業空間に設置された無線ＬＡＮアクセスポイント３、３Ａ（集客側無線ＬＡＮ通信手段の一例）とを備える。そして、更新部５３、５３Ａ（送客結果更新手段の一例）が、送客側通信エリアに進入した後、集客側通信エリアに進入した無線端末２、２Ａを検出した場合に、広告コンテンツの送客カウント値（広告コンテンツによる送客結果の一例）を更新する。
【０１７０】
広告コンテンツが表示される送客側通信エリアに進入した後に集客側通信エリアに進入した無線端末２、２Ａのユーザは広告コンテンツによって集客側通信エリアへ誘導されたと推定できることから、上記構成により、送客カウント値に基づき広告コンテンツによる広告効果を迅速かつ適切に判定することができる。
【０１７１】
また、取得部５２（送客側情報取得手段の一例）が、送客側通信エリアに進入した無線端末２の情報を取得し、記憶部３１（送客情報記憶手段の一例）が、取得部５２によって取得された無線端末２の情報を記憶し、取得部５２（集客側情報取得手段の一例）が、集客側通信エリアに進入した無線端末２の情報を取得し、更新部５３が、取得部５２（集客側情報取得手段の一例）によって取得された無線端末２の情報が記憶部３１に記憶されている場合、広告コンテンツの送客カウント値を更新する。
【０１７２】
上記構成により、無線端末２において送客側通信エリアに進入したことや集客側通信エリアに進入したことを把握することなく、広告コンテンツの送客カウント値を更新することができることから、無線端末２での処理負荷を軽減することができる。
【０１７３】
また、記憶部３１（送客情報記憶手段の一例）が、取得部５２（送客側情報取得手段の一例）によって検出された無線端末２の情報を、デジタルサイネージ４に表示されている広告コンテンツの情報に関連付けて記憶し、更新部５３（送客結果更新手段の一例）が、取得部５２（集客側情報取得手段の一例）によって取得された無線端末２の情報が記憶部３１（送客情報記憶手段の一例）に記憶されている場合に、無線端末２の情報に関連付けられた広告コンテンツの送客カウント値を更新する。
【０１７４】
上記構成により、送客側通信エリアに進入した後に集客側通信エリアに進入した無線端末２がある場合に、送客カウント値の更新を容易かつ精度よく行うことができる。
【０１７５】
また、無線端末２の情報は、当該無線端末２に固有の識別情報であり、取得部５２（送客側情報取得手段の一例）が、送客側通信エリアに進入した無線端末２から当該無線端末２に固有の識別情報を取得し、取得部５２（集客側情報取得手段の一例）が、集客側通信エリアに進入した無線端末２からこの無線端末２に固有の識別情報を取得する。
【０１７６】
上記構成により、無線端末２を適切に識別することができ、これにより精度よく送客カウント値の更新を行うことができる。
【０１７７】
また、配信部５１Ａ（送客情報送信手段の一例）が、送客側通信エリアに進入した無線端末２へ広告コンテンツの識別情報を送信し、取得部５２Ａ（送客情報取得手段の一例）が、集客側通信エリアに進入した無線端末２Ａから広告コンテンツの識別情報を取得し、更新部５３Ａ（送客結果更新手段の一例）が、取得部５２Ａ（送客情報取得手段の一例）により情報を取得した無線端末２Ａから広告コンテンツの識別情報を取得した場合に、この広告コンテンツの送客カウント値を更新する。
【０１７８】
上記構成により、広告配信管理装置５Ａで検出情報を取得して管理するなどの必要がなく、広告配信管理装置５Ａの処理負荷を軽減することができる。
【０１７９】
また、更新部５３、５３Ａ（送客結果更新手段の一例）が、送客側通信エリアに進入した後、集客側通信エリアに進入した無線端末２、２Ａの送客側通信エリアにおける電波強度および／または滞在時間が所定のカウント条件を満たす場合に、広告コンテンツの送客カウント値を更新する。
【０１８０】
上記構成により、デジタルサイネージ４を視認した可能性がより高い無線端末２（２Ａ）を送客カウント値の更新対象とすることができ、これにより、広告コンテンツによる広告効果をより精度よく判定することができる。
【０１８１】
また、決定部５４（決定手段の一例）が、送客カウント値に基づき、広告コンテンツのデジタルサイネージ４への表示に対する対価の額を決定する。
【０１８２】
上記構成により、広告コンテンツによる広告効果に即した適切な広告料の設定を行うことができる。
【０１８３】
〔５．その他〕
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１８４】
また、上述した広告配信管理装置５（５Ａ）は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。また、上述した広告配信管理装置５（５Ａ）の機能の一部を無線ＬＡＮアクセスポイント３（３Ａ）で実現するようにしてもよい。
【符号の説明】
【０１８５】
１、１Ａ  広告システム
２1〜２n、２、２Ａ  無線端末
３1〜３ｍ、３、３Ａ  無線ＬＡＮアクセスポイント
４1〜４ｍ、４  デジタルサイネージ
５、５Ａ  広告配信管理装置
６1〜６ｍ、６  ＡＰ通信エリア
７  通信ネットワーク
２１  無線ＬＡＮ通信部
２２  通信部
２３、２３Ａ  制御部
２５  中継部
２６、２６Ａ  検出部
３０  通信部
３１  記憶部
３２、３２Ａ  制御部
４１  広告情報ＤＢ
４２  ＡＰ情報ＤＢ
５１、５１Ａ  配信部
５２、５２Ａ  取得部
５３、５３Ａ  更新部
５４  決定部
【図１Ａ】
2014157497.tif 000003
【図１Ｂ】
2014157497.tif 000004
【図２】
2014157497.tif 000005
【図３Ａ】
2014157497.tif 000006
【図３Ｂ】
2014157497.tif 000007
【図４】
2014157497.tif 000008
【図５】
2014157497.tif 000009
【図６】
2014157497.tif 000010
【図７】
2014157497.tif 000011
【図８】
2014157497.tif 000012
【図９】
2014157497.tif 000013
【図１０】
2014157497.tif 000014
【図１１】
2014157497.tif 000015
【図１２】
2014157497.tif 000016
【図１３】
2014157497.tif 000017
【図１４】
2014157497.tif 000018